(57)【要約】【課題】地図のスクロール操作を許可しても、走行中の安全を確保することができる地図スクロール装置を得ることを目的とする。【解決手段】現在位置検出部４により検出された車両の現在位置を中心とする周辺エリアを分割し、地図データベース１を参照して、その周辺エリアを分割した複数の分割エリアの名称を特定する名称特定処理部７を設け、その名称特定処理部７から地図のスクロール方向に対応する分割エリアの名称を取得し、その分割エリアの名称を音声出力する。これにより、ユーザが地図を注視することなく、地図のスクロール方向を把握することができるようになる。【選択図】図１
2007108601.tif 000002
【特許請求の範囲】
【請求項１】
地図データを記憶している地図データベースと、車両の現在位置を検出する現在位置検出手段と、上記地図データベースから上記現在位置検出手段により検出された車両の現在位置を含む地図データを取得し、その地図データにしたがって地図を表示する地図表示手段と、上記現在位置検出手段により検出された車両の現在位置を中心とする周辺エリアを分割し、上記地図データベースを参照して、その周辺エリアを分割した複数の分割エリアの名称を特定する名称特定手段と、上記地図表示手段により表示されている地図のスクロール方向を選択するスクロール方向選択手段と、上記名称特定手段から上記スクロール方向選択手段により選択されたスクロール方向に対応する分割エリアの名称を取得し、その分割エリアの名称を音声出力する名称読上げ手段とを備えた地図スクロール装置。
【請求項２】
名称特定手段は、地図表示手段により表示されている地図の縮尺に応じて複数の分割エリアの名称を特定することを特徴とする請求項１記載の地図スクロール装置。
【請求項３】
名称特定手段は、地図表示手段により表示されている地図の縮尺が変更されると、その縮尺に応じて複数の分割エリアの名称を変更することを特徴とする請求項２記載の地図スクロール装置。
【発明の詳細な説明】
【技術分野】
【０００１】
この発明は、例えば、ナビゲーション装置に実装され、車両の現在位置を含む地図のスクロール操作を受け付ける地図スクロール装置に関するものである。
【背景技術】
【０００２】
近年、走行中に携帯電話を操作する行為や、走行中にナビゲーション装置を操作する行為は、運転に与える影響が大きく危険であるため、走行中の操作が禁止される方向に向かっている。
したがって、ナビゲーション装置における地図のスクロール操作も、走行中は禁止される方向に向かっているが、エンドユーザにおいては、ナビゲーション装置の高機能化に伴って、走行中でも地図のスクロール操作が行えることを望む重要が増大している。
しかし、従来のナビゲーション装置における地図のスクロールは、ユーザが画面を見ながら操作しなければ、確実な操作を実施することが困難であり、現実的には、走行中の操作を許可することは困難である。
【０００３】
なお、走行中における地図のスクロール操作に関するものではないが、走行中でも、安全に地図の縮尺を切り換えることができるようにしているナビゲーション装置が以下の特許文献１に開示されている。
即ち、以下の特許文献１に開示されているナビゲーション装置では、ユーザが地図の縮尺キーを操作して、所望の縮尺を選択すると、その縮尺に対応する音程のクリック音を出力することにより、ユーザが地図のメニュー画面を注視しなくても、地図の縮尺を把握することができるようにしている。
【０００４】
【特許文献１】特開平１０−１８７０３１号公報（段落番号［００１３］から［００１５］、図３）
【発明の開示】
【発明が解決しようとする課題】
【０００５】
従来の地図スクロール装置は以上のように構成されているので、ユーザが地図のメニュー画面を注視しなくても、地図の縮尺を把握することができるが、ユーザが地図を注視しなければ、地図のスクロール方向などを把握することができない。このため、地図のスクロール操作を許可した場合に、走行中の安全を確保することが困難であるなどの課題があった。
【０００６】
この発明は上記のような課題を解決するためになされたもので、地図のスクロール操作を許可しても、走行中の安全を確保することができる地図スクロール装置を得ることを目的とする。
【課題を解決するための手段】
【０００７】
この発明に係る地図スクロール装置は、現在位置検出手段により検出された車両の現在位置を中心とする周辺エリアを分割し、地図データベースを参照して、その周辺エリアを分割した複数の分割エリアの名称を特定する名称特定手段を設け、その名称特定手段から地図のスクロール方向に対応する分割エリアの名称を取得し、その分割エリアの名称を音声出力するようにしたものである。
【発明の効果】
【０００８】
この発明によれば、現在位置検出手段により検出された車両の現在位置を中心とする周辺エリアを分割し、地図データベースを参照して、その周辺エリアを分割した複数の分割エリアの名称を特定する名称特定手段を設け、その名称特定手段から地図のスクロール方向に対応する分割エリアの名称を取得し、その分割エリアの名称を音声出力するように構成したので、ユーザが地図を注視することなく、地図のスクロール方向を把握することができるようになり、その結果、地図のスクロール操作を許可しても、走行中の安全を確保することができる効果がある。
【発明を実施するための最良の形態】
【０００９】
実施の形態１．
図１はこの発明の実施の形態１による地図スクロール装置を適用するナビゲーション装置を示す構成図であり、図において、地図データベース１には各種施設の緯度経度情報や名称情報などの地図データを記憶しているメモリ装置である。
ＧＰＳ受信機２は複数のＧＰＳ衛星から発信されるＧＰＳ信号を受信し、そのＧＰＳ信号を現在位置検出部４に出力する処理を実施する。
ジャイロ３は車両の移動距離や移動方向を検出し、その移動距離や移動方向を示す情報を現在位置検出部４に出力する処理を実施する。
現在位置検出部４はＧＰＳ受信機２から出力されるＧＰＳ信号やジャイロ３から出力される情報に基づいて、車両の現在位置を検出する処理を実施する。
なお、ＧＰＳ受信機２、ジャイロ３及び現在位置検出部４から現在位置検出手段が構成されている。
【００１０】
表示処理部５は例えばグラフィックアクセラレータなどから構成されており、現在位置検出部４が車両の現在位置を検出すると、地図データベース１から車両の現在位置を含む地図データを取得し、その地図データにしたがって地図を液晶ディスプレイ６に表示する処理を実施する。また、表示処理部５は経路案内部１３により作成された経路案内図を液晶ディスプレイ６に表示するなどの処理も実施する。
液晶ディスプレイ６は例えば車両のインパネに配置され、表示処理部５の指示の下、地図等を表示する。
なお、表示処理部５及び液晶ディスプレイ６から地図表示手段が構成されている。
【００１１】
名称特定処理部７は例えばＭＰＵなどを実装している半導体集積回路から構成されており、現在位置検出部４により検出された車両の現在位置を中心とする周辺エリアを分割し、地図データベース１を参照して、その周辺エリアを分割した複数の分割エリアの名称を特定する処理を実施する。なお、名称特定処理部７は名称特定手段を構成している。
操作スイッチ８は例えば車両のインパネに配置され、ユーザが地図のスクロール方向や目的地などを設定する際に使用する回転ダイヤルである。
縮尺変更スイッチ８ａは例えば車両のインパネに配置され、ユーザが地図の縮尺を変更する際に使用する回転ダイヤルである。
スクロール処理部９は例えばＭＰＵなどを実装している半導体集積回路から構成されており、ユーザが操作スイッチ８を使用して地図のスクロール方向を選択すると、地図のスクロール方向を表示処理部５に指示する処理を実施する。
なお、操作スイッチ８及びスクロール処理部９からスクロール方向選択手段が構成されている。
【００１２】
音声出力部１０は例えばサウンドチップから構成されており、名称特定処理部７からスクロール処理部９により指示されたスクロール方向に対応する分割エリアの名称を取得し、その分割エリアの名称をスピーカ１１に音声出力する処理を実施する。また、音声出力部１０は経路案内部１３から出力された案内情報をスピーカ１１に音声出力する処理も実施する。
なお、音声出力部１０及びスピーカ１１から名称読上げ手段が構成されている。
【００１３】
目的地設定部１２はユーザが操作スイッチ８を使用して案内対象の目的地を指定すると、その目的地を経路案内部１３に出力する処理を実施する。
経路案内部１３は現在位置検出部４により検出された車両の現在位置から目的地に至る最適ルートを検索して、車両が目的地に到達するまで経路を案内する処理を実施する。
図２はこの発明の実施の形態１による地図スクロール装置の処理内容を示すフローチャートである。
【００１４】
図１の例では、ナビゲーション装置の構成要素である現在位置検出部４、表示処理部５、名称特定処理部７、スクロール処理部９、音声出力部１０、目的地設定部１２及び経路案内部１３がそれぞれ専用のハードウェアで構成されているものについて示しているが、ナビゲーション装置がコンピュータで構成されている場合、現在位置検出部４、表示処理部５、名称特定処理部７、スクロール処理部９、音声出力部１０、目的地設定部１２及び経路案内部１３の処理内容を記述したプログラムをコンピュータのメモリに格納し、そのコンピュータのＣＰＵが当該メモリに格納されたプログラムを実行するようにしてもよい。
【００１５】
次に動作について説明する。
ＧＰＳ受信機２は、複数のＧＰＳ衛星から発信されるＧＰＳ信号を受信し、そのＧＰＳ信号を現在位置検出部４に出力する処理を実施する。
また、ジャイロ３は、車両の移動距離や移動方向を検出し、その移動距離や移動方向を示す情報を現在位置検出部４に出力する処理を実施する。
現在位置検出部４は、ＧＰＳ受信機２が３個以上のＧＰＳ衛星から発信されたＧＰＳ信号を受信することができた場合、例えば、三角測量の技術を利用して、複数のＧＰＳ信号から車両の現在位置を検出する（ステップＳＴ１）。
なお、現在位置検出部４は、ＧＰＳ受信機２が３個以上のＧＰＳ衛星から発信されたＧＰＳ信号を受信することができない場合、ジャイロ３により検出された車両の移動距離や移動方向を利用して、車両の現在位置を検出する。
複数のＧＰＳ信号やジャイロ３の情報から車両の現在位置を検出する技術自体は、公知の技術であるため、詳細な説明は省略する。
【００１６】
表示処理部５は、現在位置検出部４が車両の現在位置を検出すると、地図データベース１から車両の現在位置を含む地図データを取得し、図４（ａ）に示すように、その地図データにしたがって地図を液晶ディスプレイ６に表示する（ステップＳＴ２）。
名称特定処理部７は、現在位置検出部４が車両の現在位置を検出すると、図３に示すように、車両の現在位置を中心とする周辺エリアを均等に分割する処理を実施する。図３では、周辺エリアを４５度毎に８分割している例を示している。
名称特定処理部７は、上記のようにして、周辺エリアを均等に分割すると、地図データベース１を参照して、その周辺エリアを分割した複数の分割エリアの名称を特定する処理を実施する（ステップＳＴ２）。
具体的には、以下のようにして、複数の分割エリアの名称を特定する。
【００１７】
名称特定処理部７は、表示処理部５により表示されている地図の縮尺に応じて、各分割エリアの名称を特定する。
（１）地図の縮尺が［〜１／８０００］の場合
各分割エリアにおいて、車両の現在位置から最も近くに存在する交差点や施設等の名称を取得し、その交差点等の名称を分割エリアの名称として採用する。
ただし、同じ距離に複数の交差点等が存在する場合、道幅が広い道路の交差点等の名称を優先的に取得する。
（２）地図の縮尺が［１／８０００〜１／２１０００］の場合
各分割エリアにおいて、車両の現在位置から最も近くに存在する町、村又は字の名称を取得し、その町等の名称を分割エリアの名称として採用する。
ただし、同じ距離に複数の町等が存在する場合、人口が多い町等の名称を優先的に取得する。
【００１８】
（３）地図の縮尺が［１／２１０００〜１／７５０００］の場合
各分割エリアにおいて、車両の現在位置から最も近くに存在する市、郡、区又は地区（例えば、島）の名称を取得し、その市又は区の名称を分割エリアの名称として採用する。
ただし、同じ距離に複数の市等が存在する場合、人口が多い市等の名称を優先的に取得する。
（４）地図の縮尺が［１／７５０００〜１／１５００００］の場合
各分割エリアにおいて、車両の現在位置から最も近くに存在する人口１５万人以上の市の名称を取得し、その市の名称を分割エリアの名称として採用する。
【００１９】
（５）地図の縮尺が［１／１５００００〜１／３０００００］の場合
各分割エリアにおいて、車両の現在位置から最も近くに存在する都道府県の名称を取得し、その都道府県の名称を分割エリアの名称として採用する。
（６）地図の縮尺が［１／３０００００〜１／９０００００］の場合
東北地方や中部地方などの地方名を取得し、その地方名の名称を分割エリアの名称として採用する。
ただし、スクロール方向が海洋である場合、その海洋の名称（例えば、太平洋、日本海）を分割エリアの名称として採用する。
【００２０】
上記のようにして、名称特定処理部７が複数の分割エリアの名称を特定したのち、ユーザが操作スイッチ８を押下すると、地図のスクロール方向を選択することが可能な方向選択モードに切り換わり、図４（ｂ）に示すように、表示処理部５が名称特定処理部７により特定された複数の分割エリアの名称を地図上に表示する処理を実施する（ステップＳＴ３）。
図４（ｂ）の例では、初期的に地図のスクロール方向が“笠間跨線橋方面”及び“大船３交差点方面”が選択されているので、表示処理部５が“笠間跨線橋方面及び大船３交差点方面”という吹出しを液晶ディスプレイ６に表示し、音声出力部１０が“笠間跨線橋方面及び大船３交差点方面”を読上げる処理を実施して、地図のスクロール方向が“笠間跨線橋方面”及び“大船３交差点方面”に選択されている旨をユーザに通知する。
【００２１】
その後、ユーザが操作スイッチ８を右に回すと（ステップＳＴ４）、スクロール処理部９が地図のスクロール方向を“笠間跨線橋方面”及び“大船３交差点方面”から“岩瀬交差点方面”及び“小袋谷交差点方面”に切り換える指令を表示処理部５に出力し（ステップＳＴ５）、表示処理部５が図４（ｃ）に示すように、地図のスクロール方向が“岩瀬交差点方面及び小袋谷交差点方面”である吹き出しを表示する。
また、音声出力部１０が“岩瀬交差点方面及び小袋谷交差点方面”を読上げる処理を実施して、地図のスクロール方向が“岩瀬交差点方面”及び“小袋谷交差点方面”に選択されている旨をユーザに通知する。
【００２２】
更に、ユーザが操作スイッチ８を右に回すと（ステップＳＴ４）、スクロール処理部９が地図のスクロール方向を“岩瀬交差点方面”及び“小袋谷交差点方面”から“大船駅前方面”及び“本村交差点方面”に切り換える指令を表示処理部５に出力し（ステップＳＴ５）、表示処理部５が図４（ｄ）に示すように、地図のスクロール方向が“大船駅前方面及び本村交差点方面”である吹き出しを表示する。
また、音声出力部１０が“大船駅前方面及び本村交差点方面”を読上げる処理を実施して、地図のスクロール方向が“大船駅前方面”及び“本村交差点方面”に選択されている旨をユーザに通知する。
この状態で、ユーザが操作スイッチ８を押下すると、スクロール処理部９が地図のスクロール方向を“大船駅前方面”及び“本村交差点方面”に決定する（ステップＳＴ６）。
【００２３】
その後、ユーザが操作スイッチ８を右に回すと（ステップＳＴ７）、スクロール処理部９が地図を右方向（“本村交差点方面”）にスクロールする指令を表示処理部５及び音声出力部１０に出力する。
これにより、図５（ａ）に示すように、表示処理部５が現在表示している地図を右方向（“本村交差点方面”）にスクロールすると同時に（ステップＳＴ８）、地図のスクロール方向が“本村交差点方面”である吹き出しを表示する。また、音声出力部１０が“本村交差点方面”を読上げる処理を実施して、地図が“本村交差点方面”にスクロールされている旨をユーザに通知する（ステップＳＴ９）。
【００２４】
ここでは、地図のスクロール方向が“大船駅前方面”及び“本村交差点方面”に決定されているため、ユーザが操作スイッチ８を右に回すと、地図を右方向（“本村交差点方面”）にスクロールするものについて示したが、例えば、地図のスクロール方向が“笠間跨線橋方面”及び“大船３交差点方面”に決定されている場合、ユーザが操作スイッチ８を右に回すと、地図を上方向（“笠間跨線橋方面”）にスクロールする。
また、地図のスクロール方向が“岩瀬交差点方面”及び“小袋谷交差点方面”に決定されている場合、ユーザが操作スイッチ８を右に回すと、地図を右上方向（“岩瀬交差点方面”）にスクロールする。
また、地図のスクロール方向が“大東橋方面”及び“常楽寺交差点方面”に決定されている場合、ユーザが操作スイッチ８を右に回すと、地図を右下方向（“常楽寺交差点方面”）にスクロールする。
【００２５】
一方、ユーザが操作スイッチ８を左に回すと（ステップＳＴ７）、スクロール処理部９が地図を左方向（“大船駅前方面”）にスクロールする指令を表示処理部５及び音声出力部１０に出力する。
これにより、図５（ｂ）に示すように、表示処理部５が現在表示している地図を左方向（“大船駅前方面”）にスクロールすると同時に（ステップＳＴ１０）、地図のスクロール方向が“大船駅前方面”である吹き出しを表示する。また、音声出力部１０が“大船駅前方面”を読上げる処理を実施して、地図が“大船駅前方面”にスクロールされている旨をユーザに通知する（ステップＳＴ１１）。
【００２６】
ここでは、地図のスクロール方向が“大船駅前方面”及び“本村交差点方面”に決定されているため、ユーザが操作スイッチ８を左に回すと、地図を右方向（“大船駅前方面”）にスクロールするものについて示したが、例えば、地図のスクロール方向が“笠間跨線橋方面”及び“大船３交差点方面”に決定されている場合、ユーザが操作スイッチ８を左に回すと、地図を下方向（“大船３交差点方面”）にスクロールする。
また、地図のスクロール方向が“岩瀬交差点方面”及び“小袋谷交差点方面”に決定されている場合、ユーザが操作スイッチ８を左に回すと、地図を左下方向（“小袋谷交差点方面”）にスクロールする。
また、地図のスクロール方向が“大東橋方面”及び“常楽寺交差点方面”に決定されている場合、ユーザが操作スイッチ８を左に回すと、地図を左上方向（“大東橋方面”）にスクロールする。
【００２７】
さらに、ユーザが操作スイッチ８を左に回すと、地図のスクロールが継続され、ある地点まで地図がスクロールされると、図５（ｃ）に示すように、名称特定処理部７が当該地点を中心とする周辺エリアを均等に分割して、複数の分割エリアの名称を特定する処理を実施する。
図５（ｃ）の例では、“玉縄台交差点”、“笠間大橋下入り口”、“大東橋交差点”、“神社前交差点”、“大船駅前”、“玉縄中入口交差点”、“山崎跨線橋北交差点”、“小袋谷交差点”の名称が特定され、表示処理部５がこれらの名称を地図上に表示している。
その後、ユーザが操作スイッチ８を押下すると、図５（ｄ）に示すように、地図のスクロール方向を選択する方向選択モードが終了する。
【００２８】
以上で明らかなように、この実施の形態１によれば、現在位置検出部４により検出された車両の現在位置を中心とする周辺エリアを分割し、地図データベース１を参照して、その周辺エリアを分割した複数の分割エリアの名称を特定する名称特定処理部７を設け、その名称特定処理部７から地図のスクロール方向に対応する分割エリアの名称を取得し、その分割エリアの名称を音声出力するように構成したので、ユーザが地図を注視することなく、地図のスクロール方向を把握することができるようになり、その結果、地図のスクロール操作を許可しても、走行中の安全を確保することができる効果を奏する。
【００２９】
上記実施の形態１では、名称特定処理部７が車両の現在位置を中心とする周辺エリアを均等に８分割するものについて示したが、必ずしも８分割である必要はなく、また、必ずしも均等に分割する必要もない。
したがって、車両の現在位置を中心とする周辺エリアを例えば４分割や１６分割してもよいし、不均等に分割してもよい。
また、上記実施の形態１では、名称特定処理部７が地図の縮尺に応じて各分割エリアの名称の特定するものについて示したが、縮尺の分類は６段階に限るものはなく、７段階以上に分類されていてもよい。
また、各縮尺における取得名称は、一例に過ぎず、高速道路のインターチェンジの名称などを取得するようにしてもよい。
【００３０】
実施の形態２．
上記実施の形態１では、地図のスクロール操作とスクロール方向の音声案内について説明したが、この実施の形態２では、地図の縮尺を変更する操作と、その縮尺の変更に伴う音声案内について説明する。
【００３１】
具体的には、以下の通りである。
表示処理部５は、現在位置検出部４が車両の現在位置を検出すると、上記実施の形態１と同様に、地図データベース１から車両の現在位置を含む地図データを取得し、その地図データにしたがって地図を液晶ディスプレイ６に表示する。
名称特定処理部７は、現在位置検出部４が車両の現在位置を検出すると、上記実施の形態１と同様に、車両の現在位置を中心とする周辺エリアを分割し、地図データベース１を参照して、その周辺エリアを分割した複数の分割エリアの名称を特定する処理を実施する。
【００３２】
上記のようにして、名称特定処理部７が複数の分割エリアの名称を特定したのち、ユーザが縮尺変更スイッチ８ａを押下すると、地図の縮尺を変更することが可能な縮尺変更モードに切り換わり、図６（ａ）に示すように、表示処理部５が複数の分割エリアの名称を地図上に表示する処理を実施する
図６（ａ）では、地図のスクロール方向として“大船駅前交差点方面”及び“本村交差点方面”が選択されている例を示している。地図のスクロール方向の選択は、上記実施の形態１と同様であるため説明を省略する。
また、図６（ａ）では、地図の縮尺が最も小さい地図（縮尺［〜１／８０００］の地図）を表示している。
この場合、表示処理部５が、地図のスクロール方向が“大船駅前方面及び本村交差点方面”である吹き出しを表示し、音声出力部１０が“大船駅前方面及び本村交差点方面”を読上げる処理を実施して、地図のスクロール方向が“大船駅前方面”及び“本村交差点方面”に選択されている旨をユーザに通知する。
【００３３】
その後、ユーザが縮尺変更スイッチ８ａを右に回すと、スクロール処理部９が地図の縮尺を高める指令を表示処理部５及び音声出力部１０に出力する。
これにより、図６（ｂ）に示すように、表示処理部５が現在表示している地図の縮尺を１段階高めて、縮尺［１／８０００〜１／２１０００］の地図を表示すると同時に、名称特定処理部７が縮尺［１／８０００〜１／２１０００］の地図のレベルで、複数の分割エリアの名称を特定する。
即ち、“大船駅前方面”よりエリアが大きい“植木町方面”、“本村交差点方面”よりエリアが大きい“公田町方面”、“大東橋交差点方面”よりエリアが大きい“田谷町方面”などを特定する。
表示処理部５は、名称特定処理部７により特定された“植木町方面”、“公田町方面”、“田谷町方面”などを地図上に表示するとともに、スクロール方向に対応する“植木町方面”及び“公田町方面”の吹出しを表示する。
また、音声出力部１０は、スクロール方向に対応する“植木町方面及び公田町方面”を読上げて、地図が“植木町方面”及び“公田町方面”にスクロールされる旨をユーザに通知する。
【００３４】
以下、ユーザが更に縮尺変更スイッチ８ａを右に回すと、上記と同様に、スクロール処理部９が地図の縮尺を高める指令を表示処理部５及び音声出力部１０に出力する。
地図の縮尺を高めていくと、図６（ｃ）〜（ｆ）に示すような地図と吹出しが表示され、図６（ｃ）〜（ｆ）に示すような分割エリアの名称が読上げられる。
一方、ユーザが縮尺変更スイッチ８ａを左に回すと、上記と逆に、スクロール処理部９が地図の縮尺を下げる指令を表示処理部５及び音声出力部１０に出力する。
地図の縮尺を下げると、図６（ａ）に示すような地図と吹出しが表示され、図６（ａ）に示すような分割エリアの名称が読上げられる。
【００３５】
以上で明らかなように、この実施の形態２によれば、表示処理部５により表示されている地図の縮尺が変更されると、その縮尺に応じて複数の分割エリアの名称を変更するように構成したので、単位時間当りのスクロール操作で、地図がどの程度の距離を移動するかを感覚的に把握することができる効果を奏する。
【００３６】
なお、上記実施の形態１，２では、操作スイッチ８及び縮尺変更スイッチ８ａが回転ダイヤルであるものについて示したが、図７に示すように、左右キーと決定キー、あるいは、上下キーと決定キーなどが組み合わされた操作スイッチでもよく、回転ダイヤルに限るものではない。
【図面の簡単な説明】
【００３７】
【図１】この発明の実施の形態１による地図スクロール装置を適用するナビゲーション装置を示す構成図である。
【図２】この発明の実施の形態１による地図スクロール装置の処理内容を示すフローチャートである。
【図３】車両の現在位置を中心とする周辺エリアの分割エリアを示す説明図である。
【図４】地図のスクロール方向の選択操作を示す説明図である。
【図５】地図のスクロール操作とスクロール方向の音声案内を示す説明図である。
【図６】地図の縮尺を変更する操作と縮尺変更に伴う音声案内を示す説明図である。
【図７】操作スイッチを示す説明図である。
【符号の説明】
【００３８】
１  地図データベース、２  ＧＰＳ受信機（現在位置検出手段）、３  ジャイロ（現在位置検出手段）、４  現在位置検出部（現在位置検出手段）、５  表示処理部（地図表示手段）、６  液晶ディスプレイ（地図表示手段）、７  名称特定処理部（名称特定手段）、８  操作スイッチ（スクロール方向選択手段）、８ａ  縮尺変更スイッチ、９  スクロール処理部（スクロール方向選択手段）、１０  音声出力部（名称読上げ手段）、１１  スピーカ（名称読上げ手段）、１２  目的地設定部、１３  経路案内部。
【図１】
2007108601.tif 000003
【図２】
2007108601.tif 000004
【図３】
2007108601.tif 000005
【図４】
2007108601.tif 000006
【図５】
2007108601.tif 000007
【図６】
2007108601.tif 000008
【図７】
2007108601.tif 000009